【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
容器アッセンブリにおいて、
第１連続本体部分（１２；２１２）と、前記第１本体部分を取り囲み、そこから側方外向きに突き出ている第１縁部（１４；２１４）と、を含んでいる第１容器（１０；２１０）であって、前記縁部は、第１の複数の上向きに突き出ている造形を有しており、隣接する前記上向きに突き出ている造形の間に第１空間が形成されており、前記第１の複数の上向きに突き出ている造形は、前記第１縁部の方向に略直角な第１パターンを形成している、第１容器（１０；２１０）と、
第２連続本体部分（１１２；４１２）と、前記第２本体部分を取り囲み、そこから側方外向きに突き出ている第２縁部（１１４；４１４）と、を含んでいる第２容器（１１０；４１０）であって、前記第２縁部は、第２の複数の上向きに突き出ている造形を有しており、隣接する前記上向きに突き出ている造形の間に第２空間が形成されており、前記第２の複数の上向きに突き出ている造形は、前記第２縁部の方向に略直角な第２パターンを形成しており、前記第２縁部と前記第１縁部は、実質的に同じ形に作られている、第２容器（１１０；４１０）と、を備えており、
前記第１容器（１０；２１０）と前記第２容器（１１０；４１０）は、前記第１の複数の上向きに突き出ている造形を、それぞれの前記第２空間に嵌め込み、前記第２の複数の上向きに突き出ている造形を、それぞれの前記第１空間に嵌め込むことによって、互いに解除可能にロックすることができるようになっていることを特徴とする容器アッセンブリ。
【請求項２】
第１連続本体部分（１２；２１２）と、前記第１本体部分を取り囲み、そこから側方外向きに突き出ている第１縁部（１４；２１４）と、を含んでいる第１容器（１０；２１０）であって、前記縁部は、そこから概ね上向きに突き出ている第１の複数のリブを有していて、隣接する前記リブの間に第１空間が形成されており、前記第１の複数の上向きに突き出ているリブは、前記第１縁部の方向に略直角な第１パターンを形成している、第１容器（１０；２１０）と、
第２連続本体部分（１１２；４１２）と、前記第２本体部分を取り囲み、そこから側方外向きに突き出ている第２縁部（１１４；４１４）と、を含んでいる第２容器（１１０；４１０）であって、前記第２縁部は、そこから概ね上向きに突き出ている第２の複数のリブを有していて、隣接する前記リブの間に第２空間が形成されており、前記第２の複数の上向きに突き出ているリブは、前記第２縁部の方向に略直角な第２パターンを形成しており、前記第２縁部と前記第１縁部は、実質的に同じ形に作られている、第２容器（１１０；４１０）と、を備えており、
前記第１容器（１０；２１０）と前記第２容器（１１０；４１０）は、前記第１の複数の上向きに突き出ているリブを、それぞれの前記第２空間に嵌め込み、前記第２の複数の上向きに突き出ているリブを、それぞれの前記第１空間に嵌め込むことによって、互いに解除可能にロックすることができるようになっている、請求項１に記載の容器アッセンブリ。
【請求項３】
前記第１容器（１０；２１０）は、前記第２容器（１１０；４１０）と、実質的に同じ形に作られている、請求項１又は２に記載の容器アッセンブリ。
【請求項４】
第１連続本体部分（１２；２１２）と、前記第１本体部分を取り囲み、そこから側方外向きに突き出ている第１縁部（１４；２１４）と、を含んでいる第１容器（１０；２１０）であって、前記縁部は、そこから概ね上向きに突き出ている第１の複数のリブを有していて、隣接する前記リブの間に第１空間が形成されており、前記第１の複数の上向きに突き出ているリブは、それぞれ、前記第１容器の中心と略同心であり、ぞれぞれ、少なくとも約２組のリブを含んでいる、第１容器（１０；２１０）と、
第２連続本体部分（１１２；４１２）と、前記第２本体部分を取り囲み、そこから側方外向きに突き出ている第２縁部（１１４；４１４）と、を含んでいる第２容器（１１０；４１０）であって、前記第２縁部は、そこから概ね上向きに突き出ている第２の複数のリブを有していて、隣接する前記リブの間に第２空間が形成されており、前記第２の複数の上向きに突き出ているリブは、それぞれ、前記第２容器の中心と略同心であり、ぞれぞれ、少なくとも約２組のリブを含んでいる、第２容器（１１０；４１０）と、を備えており、前記第１容器は、前記第２容器と、実質的に同じ形に作られており、
前記第１容器と前記第２容器は、前記第１の複数の上向きに突き出ているリブを、それぞれの前記第２空間に嵌め込み、前記第２の複数の上向きに突き出ているリブを、それぞれの前記第１空間に嵌め込むことによって、互いに解除可能にロックすることができるようになっている、請求項１から３の少なくとも１つに記載の容器アッセンブリ。
【請求項５】
前記第１容器（１０）と前記第２容器（１１０）は同一である、上記請求項の少なくとも１つに記載の容器アッセンブリ。
【請求項６】
前記第１縁部と前記第２縁部（１４；１１４；２１４；４１４）は、同一であるか、又は少なくとも実質的に同じ形に作られている、上記請求項の少なくとも１つに記載の容器アッセンブリ。
【請求項７】
前記第１容器と前記第２容器（１０；１１０；２１０；４１０）はポリマー材料で作られている、上記請求項の少なくとも１つに記載の容器アッセンブリ。
【請求項８】
前記第１及び第２の複数の上向きに突き出ている造形は多角形を有している、上記請求項の少なくとも１つに記載の容器アッセンブリ。
【請求項９】
前記造形は正方形を有している、上記請求項の少なくとも１つに記載の容器アッセンブリ。
【請求項１０】
前記第１容器と前記第２容器（１０；１１０；２１０；４１０）はボウルである、上記請求項の少なくとも１つに記載の容器アッセンブリ。
【請求項１１】
前記第１容器と前記第２容器（１０；１１０；２１０；４１０）はプレートである、上記請求項の少なくとも１つに記載の容器アッセンブリ。
【請求項１２】
前記第１容器（１０；２１０）はボウルであり、前記第２容器（１１０；４１０）はプレートである、上記請求項の少なくとも１つに記載の容器アッセンブリ。
【請求項１３】
前記第１容器と前記第２容器（１０；１１０；２１０；４１０）はポリマー材料で作られている、上記請求項の少なくとも１つに記載の容器アッセンブリ。
【請求項１４】
前記第の１複数の上向きに突き出ているリブと前記第２の複数の上向きに突き出ているリブは、各縁部の残りの部分の面に対して略垂直である、上記請求項の少なくとも１つに記載の容器アッセンブリ。
【請求項１５】
前記第１の複数の上向きに突き出ているリブは、第１及び第２側壁と、前記第１側壁と前記第２側壁を覆って架橋する面と、を備えており、前記第１及び第２側壁の少なくとも一方は、第１アンダーカットを有しており、前記第２の複数の上向きに突き出ているリブは、第３及び第４側壁と、前記第３側壁と前記第４側壁を覆って架橋する面と、を備えており、前記第３及び第４側壁の少なくとも一方は、第２アンダーカットを有している、上記請求項の少なくとも１つに記載の容器アッセンブリ。
【請求項１６】
前記第１及び第２の複数の上向きに突き出ているリブは多角形を有している、上記請求項の少なくとも１つに記載の容器アッセンブリ。
【請求項１７】
前記リブは正方形を有している、上記請求項の少なくとも１つに記載の容器アッセンブリ。
【請求項１８】
容器アッセンブリを形成する方法において、
第１連続本体部分（１２；２１２）と、前記第１本体部分を取り囲み、そこから側方外向きに突き出ている第１縁部（１４；２１４）と、を含んでいる第１容器（１０；２１０）を提供する段階であって、前記縁部は、そこから概ね上向きに突き出ている第１の複数のリブを有していて、隣接する前記リブの間に第１空間が形成されており、前記第１の複数の上向きに突き出ているリブは、前記第１縁部の方向に略直角な第１パターンを形成している、第１容器（１０；２１０）を提供する段階と、
第２連続本体部分（１１２；４１２）と、前記第２本体部分を取り囲み、そこから側方外向きに突き出ている第２縁部（１１４；４１４）と、を含んでいる第２容器（１１０；４１０）を提供する段階であって、前記第２縁部は、そこから概ね上向きに突き出ている第２の複数のリブを有していて、隣接する前記リブの間に第２空間が形成されており、前記第２の複数の上向きに突き出ているリブは、前記第２縁部の方向に略直角な第２パターンを形成しており、前記第２リムと前記第１リムは、実質的に同じ形に作られている、第２容器（１１０；４１０）を提供する段階と、
前記第１容器（１０；２１０）と前記第２容器（１１０；４１０）が略整列し、前記第１縁部と前記第２縁部が互いに隣接するように、前記第１容器と前記第２容器の内の一方を指先で押す段階と、
前記第１の複数の上向きに突き出ているリブをそれぞれの第２空間に嵌め込み、前記第２の複数の上向きに突き出ているリブをそれぞれの第１空間に嵌め込み、前記第１容器（１０；２１０）と前記第２容器（１１０；４１０）が互いに解除可能にロックできるようにする段階と、から成る方法。
【請求項１９】
前記第１容器（１０；２１０）は、前記第２容器（１１０；４１０）と実質的に同じ形に作られている、請求項１８に記載の方法。
【請求項２０】
第１連続本体部分（１２；２１２）と、前記第１本体部分を取り囲み、そこから側方外向きに突き出ている第１縁部（１４；２１４）と、を含んでいる第１容器（１０；２１０）を提供する段階であって、前記縁部は、そこから概ね上向きに突き出ている第１の複数のリブを有していて、隣接する前記リブの間に第１空間が形成されており、前記第１の複数の上向きに突き出ているリブは、それぞれ、前記第１容器の中心と略同心であり、ぞれぞれ、少なくとも約２組のリブを含んでいる、第１容器（１０；２１０）を提供する段階と、
第２連続本体部分（１１２；４１２）と、前記第２本体部分を取り囲み、そこから側方外向きに突き出ている第２縁部（１１４；４１４）と、を含んでいる第２容器（１１０；４１０）を提供する段階であって、前記第２縁部は、そこから概ね上向きに突き出ている第２の複数のリブを有していて、隣接する前記リブの間に第２空間が形成されており、前記第２の複数の上向きに突き出ているリブは、それぞれ、前記第２容器の中心と略同心であり、ぞれぞれ、少なくとも約２組のリブを含んでおり、前記第２リムと前記第１リムは、実質的に同じ形に作られている、第２容器（１１０；４１０）を提供する段階と、を含んでいる、請求項１８又は１９に記載の容器アッセンブリを形成する方法。
【請求項２１】
前記第１の複数の上向きに突き出ているリブをそれぞれの第２空間に嵌め込み、前記第２の複数の上向きに突き出ているリブをそれぞれの第１空間に嵌め込む前記段階の前に、前記第１容器（１０；２１０）と第２容器（１１０；４１０）の少なくとも一方の上に食品を配置する段階を更に含んでいる、請求項１８から２０の少なくとも１つに記載の方法。
【請求項２２】
前記第１容器（１０；２１０）は、前記第２容器（１１０；４１０）と同一である、請求項１８から２１の少なくとも１つに記載の方法。
【請求項２３】
前記第の１複数の上向きに突き出ているリブと前記第２の複数の上向きに突き出ているリブは、各縁部の残りの部分の面に対して略垂直である、請求項１８から２２の少なくとも１つに記載の方法。
【請求項２４】
前記第１及び第２の複数の上向きに突き出ているリブは多角形を有している、請求項１８から２３の少なくとも１つに記載の方法。
【請求項２５】
前記リブは正方形を有している、請求項１８から２４の少なくとも１つに記載の方法。
【請求項２６】
容器アッセンブリに用いられる容器において、連続本体部分と、前記本体部分を取り囲み、そこから側方外向きに突き出ている縁部と、を備えており、前記縁部は、そこから概ね上向きに突き出ている第１の複数のリブを有していて、隣接する前記リブの間に第１空間が形成されており、前記第１の複数の上向きに突き出ているリブは、前記縁部の方向に略直角なパターンを形成しており、前記縁部は、前記第１の複数のリブと前記第１空間を、第２容器（１１０；４１０）のそれぞれの第２空間と第２の複数のリブに嵌め込むことによって、解除可能にロックできるようになっており、前記第２容器は、前記第１容器（１０；２１０）と実質的に同じ形に作られている、容器。
【請求項２７】
前記第２空間及び前記第２の複数のリブは、それぞれ前記第１空間及び前記第１の複数のリブと実質的に同じ形に作られている、請求項２６に記載の容器アッセンブリに用いられる容器。
【請求項２８】
連続本体部分と、前記本体部分を取り囲み、そこから側方外向きに突き出ている縁部と、を備えており、前記縁部は、そこから概ね上向きに突き出ている第１の複数のリブを有していて、隣接する前記リブの間に第１空間が形成されており、前記第１の複数の上向きに突き出ているリブは、前記第１容器の中心と略同心であり、少なくとも約２組のリブを含んでおり、前記縁部は、前記第１の複数のリブと前記第１空間を、第２容器（１１０；４１０）のそれぞれの第２空間と第２の複数のリブに嵌め込むことによって、解除可能にロックできるようになっており、前記第２容器（１１０；４１０）は、前記第１容器（１０；２１０）と実質的に同じ形に作られている、請求項２６から２７の少なくとも１つに記載の容器アッセンブリに用いられる容器。
【請求項２９】
前記第２空間及び前記第２の複数のリブは、それぞれ前記第１空間及び前記第１の複数のリブと実質的に同じ形に作られている、請求項２６から２８の少なくとも１つに記載の容器アッセンブリに用いられる容器。
【請求項３０】
前記第の１複数の上向きに突き出ているリブは、それぞれの縁部の残りの部分の面に対して垂直である、請求項２６から２９の少なくとも１つに記載の容器。
【請求項３１】
前記第１の複数の上向きに突き出ているリブは、第１及び第２側壁と、前記第１側壁と前記第２側壁を覆って架橋する面と、を備えており、前記第１及び前記第２側壁の少なくとも一方は、第１アンダーカットを有している、請求項２６から３０の少なくとも１つに記載の容器。
【請求項３２】
前記第１の複数の上向きに突き出ているリブは、前記縁部の方向に直角なパターンを形成している、請求項２６から３１の少なくとも１つに記載の容器。
【請求項３３】
前記第１及び第２の複数の上向きに突き出ているリブは多角形を有している、請求項２６から３２の少なくとも１つに記載の容器。
【請求項３４】
前記リブは正方形を有している、請求項２６から３３の少なくとも１つに記載の容器。
【請求項３５】
前記第の１複数の上向きに突き出ているリブは、それぞれの縁部の残りの部分の面に対して垂直である、請求項２６から３４の少なくとも１つに記載の容器。
【請求項３６】
前記第１の複数の上向きに突き出ているリブは、第１及び第２側壁と、前記第１側壁と前記第２側壁を覆って架橋する面と、を備えており、前記第１及び前記第２側壁の少なくとも一方は、第１アンダーカットを有している、請求項２６から３５の少なくとも１つに記載の容器。
【請求項３７】
前記第１の複数の上向きに突き出ているリブは、前記縁部の方向に直角なパターンを形成している、請求項２６から３６の少なくとも１つに記載の容器。